(57)【特許請求の範囲】
【請求項１】
エレベータに搭乗して複数階床間を移動することが可能な移動体の所在階床を記憶する記憶部と、
前記移動体が階床間を移動するためにエレベータの行先階登録を行う登録部と、
前記行先階登録に基づき前記記憶部の記憶する前記移動体の所在階床を、前記行先階登録により登録された行先階に更新する更新部と、
を備える所在管理システム。
【請求項２】
前記更新部は、前記行先階登録に応じて運行された前記エレベータが前記行先階登録に対応した行先階に到着してから前記更新を行う、
請求項１に記載の所在管理システム。
【請求項３】
複数階床にそれぞれ設置された複数の設置デバイスの何れかの近傍に前記移動体が位置しているとみなし得る情報を受け付けることにより、前記移動体の位置を判別する位置判別部を更に備え、
前記更新部は、前記位置判別部による判別結果に基づき前記記憶部の記憶する前記移動体の所在階床を更新する、
請求項１または２に記載の所在管理システム。
【請求項４】
前記位置判別部は、前記移動体の位置の判別を繰り返し行い、
前記更新部は、前記位置判別部により前記移動体の位置を判別ができない状態が予め定めた期間継続した場合には、前記記憶部の記憶する前記移動体の所在階床が不詳となるように更新する、
請求項３に記載の所在管理システム。
【請求項５】
前記移動体は前記エレベータの利用者であり、
前記利用者による操作に応じて前記行先階登録を行うための行先階情報を発信する発信部を有するインターフェース装置をさらに備える、
請求項１から４のいずれか１項に記載の所在管理システム。
【請求項６】
前記インターフェース装置は、前記利用者を識別するための識別情報を読み取る読取部と、
前記利用者に対して予め登録された１または複数の行先階候補を提示し、選択させる選択入力部と、をさらに有する、
請求項５に記載の所在管理システム。
【発明の詳細な説明】
【技術分野】
【０００１】
本発明は、従業員などの建物内における所在を管理する所在管理システムに関する。
【背景技術】
【０００２】
近年、ワークスタイル変革の一環として、一部のオフィスにおいてフリーアドレスが導入されている。フリーアドレスの導入により、時間や場所に縛られない働き方ができるようになる一方、座席が固定されないことにより、相談したい相手がどこに居るのかわからない、という状況に陥りやすい。
【０００３】
これに対し、非特許文献１には、社員の名札にビーコンを取り付けることにより、各社員の位置（所在）を把握できるようにしている。
【先行技術文献】
【非特許文献】
【０００４】
【非特許文献１】パナソニック株式会社、"第２回 ビーコンで始めるワークスタイル変革"、[online]、[令和2年3月2日検索]、インターネット <URL:https://www.panasonic.com/jp/business/its/dousen/column_2.html>
【発明の概要】
【発明が解決しようとする課題】
【０００５】
上記非特許文献１に開示されたシステムでは、ビーコンからの電波を受信する受信機をオフィス内に多数設置することが必要となるため、導入の負担が大きい。また、仮にこのようなシステムを導入したとしても、受信機の配置によっては、ビーコンの電波が何れの受信機によっても受信されないエリアが生じ得る。
【０００６】
本発明は、上記課題に鑑み、エレベータを利用した所在管理システムの提供を目的とする。
【課題を解決するための手段】
【０００７】
上記の課題を解決するために、本発明の態様１に係る所在管理システムは、複数階床間の移動が可能な移動体の所在階床を記憶する記憶部と、前記移動体が階床間を移動するためにエレベータの行先階登録を行う登録部と、前記行先階登録に基づき前記記憶部の記憶する前記移動体の所在階床を更新する更新部と、を備える。
【０００８】
前期の構成によれば、移動体が階床間を移動するために行うエレベータの行先階登録に基づくことにより、その行先階に移動体が居るものとみなして移動体の所在を管理することができる。なお、上記構成のみでは、行先階におけるより具体的な所在地まで特定することは困難であるが、行先階さえ管理できれば十分である場合も多い。また、上記構成と、以下に述べる位置判別部とを組み合わせることにより、それぞれでは管理しきれない部分を補完することもできる。
【０００９】
また、本発明の態様２に係る所在管理システムは、前記態様１において、前記更新部は、前記行先階登録に応じて運行された前記エレベータが前記行先階登録に対応した行先階に到着してから前記更新を行ってもよい。
【００１０】
前記の構成によれば、移動体の所在階床を正確なものとすることができる。換言すれば、移動体がエレベータのかごに搭乗中であるにもかかわらず、所在階床を行先階と誤って管理してしまう可能性を低減することができる。
【００１１】
また、本発明の態様３に係る所在管理システムは、前記態様１または２において、複数階床にそれぞれ設置された複数の設置デバイスの何れかの近傍に前記移動体が位置しているとみなし得る情報を受け付けることにより、前記移動体の位置を判別する位置判別部を更に備え、前記更新部は、前記位置判別部による判別結果に基づき前記記憶部の記憶する前記移動体の所在階床を更新してもよい。
【００１２】
前記の構成によれば、移動体の所在階床をより正確に管理することができる。例えば、移動体がエレベータを利用せず（例えば、階段などを利用して）階床間を移動した場合であっても、移動体の所在階床を正確に特定することができる。
【００１３】
また、本発明の態様４に係る所在管理システムは、前記態様３において、前記位置判別部は、前記移動体の位置の判別を繰り返し行い、前記更新部は、前記位置判別部により前記移動体の位置を判別ができない状態が予め定めた期間継続した場合には、前記記憶部の記憶する前記移動体の所在階床が不詳となるように更新してもよい。
【００１４】
前記の構成によれば、移動体が建物内に存在しないにもかかわらず、いずれかの階床に存在するものとして誤って管理される可能性を低減することができる。
【００１５】
また、本発明の態様５に係る所在管理システムは、前記態様１から４のいずれかにおいて、前記移動体は前記エレベータの利用者であり、前記利用者による操作に応じて前記行先階登録を行うための行先階情報を発信する発信部を有するインターフェース装置をさらに備えてもよい。
【００１６】
前記の構成によれば、エレベータの利用者がインターフェース装置を介して行先階登録を行うだけで、当該利用者の所在階床を管理することができる。
【００１７】
また、本発明の態様６に係る所在管理システムは、前記態様１から５のいずれかにおいて、前記インターフェース装置は、前記利用者を識別するための識別情報を読み取る読取部と、前記利用者に対して予め登録された１又は複数の行先階候補を提示し、選択させる選択入力部と、をさらに有してもよい。
【００１８】
前記の構成によれば、利用者が、自身に対して登録されていない階床を行先階として登録してしまうことを防ぐことができる。
【００１９】
本発明の各態様に係る所在管理システムは、コンピュータによって実現してもよく、この場合には、コンピュータを前記所在管理システムが備える各部（ソフトウェア要素）として動作させることにより前記所在管理をコンピュータにて実現させる所在管理の制御プログラム、およびそれを記録したコンピュータ読み取り可能な記録媒体も、本発明の範疇に入る。
【発明の効果】
【００２０】
本発明の一態様によれば、エレベータを利用した所在管理システムを提供することができる。
【図面の簡単な説明】
【００２１】
【図１】本発明の一実施形態に係るエレベータ行先階登録システムに含まれるインターフェース装置における画面遷移図である。
【図２】エレベータ行先階登録システムの要部構成の一例を示すブロック図である。
【図３】インターフェース装置の要部構成の一例を示すブロック図である。
【図４】照会データベースの一具体例を示す図である。
【図５】所在情報データベースの一具体例を示す図である。
【図６】エレベータ行先階登録システムが実行する個人照会処理の流れの一例を説明するシーケンス図である。
【図７】エレベータ行先階登録システムが実行する所在更新処理の流れの一例を示すシーケンス図である。
【図８】インターフェース装置における画面例を示す図である。
【発明を実施するための形態】
【００２２】
以下、本発明の一実施形態について、詳細に説明する。
【００２３】
＜発明の概要＞
図１は、本実施形態に係るエレベータ行先階登録システム１（所在管理システム）に含まれるインターフェース装置１１における画面遷移図である。図１を参照して、エレベータ行先階登録システム１の概要を説明する。
【００２４】
エレベータ行先階登録システム１は、エレベータの利用者（第１移動体）によるインターフェース装置１１への操作入力に基づき、当該利用者が訪問する予定の訪問相手（第２移動体）の所在階床を特定し、特定した所在階床を行先階とする行先階登録を行う。なお、図１に示すインターフェース装置１１は、建物の１階にあるインターフェース装置１１であるものとする。
【００２５】
インターフェース装置１１の初期画面は、図１に示すパターン１０１および１０２に示すとおり、選択肢画像Ａ１およびＡ２を含む。選択肢画像Ａ１は、「行先階登録」とのテキストを含み、選択肢画像Ａ２は、「個人検索」とのテキストを含む。
【００２６】
パターン１０１は、選択肢画像Ａ２に対し、利用者がタッチ操作を入力した場合の画面遷移である。当該タッチ操作が入力されると、インターフェース装置１１は、案内画像Ａ３を表示する。案内画像Ａ３は、利用者に対し、カード読み取り部１１１（読取部）へのＩＤカードＣ１の接触（または近接）を促す画像であり、一例として、「カードをタッチしてください」とのテキストを含む。なお以降、「接触」と記載する場合は「近接」も含むものとする。
【００２７】
ＩＤカードＣ１は、利用者を識別する個人識別情報（識別情報）を記憶しているカードである。ＩＤカードＣ１がカード読み取り部１１１に接触すると、ＩＤカードＣ１からインターフェース装置１１へ個人識別情報が送信される。ＩＤカードＣ１とインターフェース装置１１との通信方式は特に限定されない。例えば、ＲＦＩＤ（radio frequency identifier）などの技術を用いた近距離無線通信であってもよい。
【００２８】
利用者が、ＩＤカードＣ１をカード読み取り部１１１に接触させた後、インターフェース装置１１は、読み取った個人識別情報に応じた、訪問相手の候補を示す選択肢画像を表示する。パターン１０１の例では、選択肢画像Ａ４およびＡ５が表示されている。選択肢画像Ａ４は、訪問相手の候補を識別する「ＢＢＢ」とのテキストと、「ＢＢＢ」で示される候補の所在階床である「２階」および所在空間である「会議室Ａ」を含む。選択肢画像Ａ５は、訪問相手の候補を識別する「ＣＣＣ」とのテキストと、「ＣＣＣ」で示される候補の所在階床である「１階」および所在空間である「エレベータ乗場」を含む。なお、所在空間とは、訪問相手の候補がいる、建物内に定義された空間（区画）であり、典型例としては部屋が挙げられるが、これに限定されない。
【００２９】
パターン１０１の例では、利用者は、選択肢画像Ａ４に対しタッチ操作を入力したものとする。これにより、１階を出発階、２階を行先階とするエレベータの行先階登録が行われる。そして、インターフェース装置１１は、登録結果画像Ａ６を表示する。登録結果画像Ａ６は、当該行先階登録に割り当てられたエレベータを示す「１号機」とのテキストと、訪問相手を識別する「ＢＢＢ」とのテキストと、行先階を示す「２階」とのテキストを含む。
【００３０】
なお、パターン１０２は、選択肢画像Ａ１に対し、利用者がタッチ操作を入力した場合の画面遷移である。当該タッチ操作が入力されると、インターフェース装置１１は、案内画像Ａ３を表示する。利用者が、ＩＤカードＣ１をカード読み取り部１１１に接触させた後、インターフェース装置１１は、読み取った個人識別情報に応じた、行先階の候補画像Ａ７を表示する。パターン１０２の例では、利用者は、１０階を示す画像へのタッチ操作を入力したものとする。これにより、１階を出発階、１０階を行先階とするエレベータの行先階登録が行われる。そして、インターフェース装置１１は、登録結果画像Ａ８を表示する。登録結果画像Ａ８は、当該行先階登録に割り当てられた号機を示す「２号機」とのテキストと、行先階を示す「１０階」とのテキストを含む。
【００３１】
なお、図１に示す各画像に含まれるテキストは一例である。当該テキストは、各画像が利用者に報知すべき内容を正しく報知できるテキストであればよい。
【００３２】
＜エレベータ行先階登録システム１の概要＞
図２は、エレベータ行先階登録システム１の要部構成の一例を示すブロック図である。なお、本実施形態では、エレベータ行先階登録システム１を、複数の企業のテナントを含む建物に適用した例を説明する。また、建物内にいる各人は、建物内にテナントを有する企業の従業員であるものとする。なお、以降、建物内にテナントを有する企業の従業員を、単に「従業員」と表記する。エレベータ行先階登録システム１は、インターフェース装置１１、セキュリティシステム１２、所在管理システム１３、エレベータ制御システム１４およびエレベータ１４１を含む。
【００３３】
（ビーコンおよび入室管理装置）
また、エレベータ行先階登録システム１は、建物内に設けられた複数のビーコンおよび入室管理装置（複数の設置デバイス）を含む。建物内の各部屋や、エントランスなどの所定空間には、ビーコンおよび入室管理装置のうち少なくとも一方が設けられている。
【００３４】
ビーコンは、所定の無線信号を常時発信する。当該無線信号は、ビーコンを識別するビーコン識別情報を含み、建物内にいる従業員のスマートフォン１０により受信される。詳細については後述するが、当該スマートフォン１０は、ビーコンからの無線信号を受信すると、ビーコン識別情報を、個人識別情報とともにネットワーク２を介して所在管理システム１３へ送信する。当該個人識別情報は、従業員のＩＤカードＣ１が有する個人識別情報と同一である。また、ネットワーク２は特に限定されない。例えばインターネットでもよいし、建物のイントラネットでもよいし、電話網であってもよい。
【００３５】
入室管理装置は、一例として、各部屋のドア付近に設けられる。また、入室管理装置は、建物内のドアを有さない空間（例えば、エントランスなど）に設けられる場合、一例として、セキュリティゲートと一体化していてもよい。
【００３６】
入室管理装置は、一例として、カード読み取り部を含む。当該カード読み取り部は、例えば、インターフェース装置１１に設けられたカード読み取り部１１１と同様の部材である。入室管理装置は、カード読み取り部を介してＩＤカードＣ１から個人識別情報を取得した場合、所定のシステムへ個人識別情報を送信し、当該個人識別情報が示す従業員が、入室管理装置が設けられた空間に入ることを許可されているか否かを判定させる。所定のシステムは例えば、セキュリティシステム１２であってもよいし、所在管理システム１３であってもよい。入室管理装置は、当該空間に入ることを許可されている従業員であるとの判定結果を所定のシステムから受信した場合、ドアのロックを解除したり、セキュリティゲートを開いたりすることにより、当該空間に入ることを可能とする。
【００３７】
また、入室管理装置は、ＩＤカードＣ１から取得した個人識別情報を、装置識別情報とともに所在管理システム１３へ送信する。装置識別情報は、入室管理装置を識別する情報である。
【００３８】
なお、以降、スマートフォン１０が送信する個人識別情報およびビーコン識別情報、並びに、入室管理装置が送信する個人識別情報および装置識別情報を、「所在更新情報」と表記する。
【００３９】
（インターフェース装置１１）
インターフェース装置１１は、建物の各エレベータ乗場に設置された、エレベータの利用者の操作入力を受け付ける装置である。なお、図２では、各インターフェース装置１１を区別するため、１階のエレベータ乗場に設けられたインターフェース装置１１をインターフェース装置１１Ａと記載している。同様に、２階のエレベータ乗場に設けられたインターフェース装置１１をインターフェース装置１１Ｂ、Ｎ階のエレベータ乗場に設けられたインターフェース装置１１をインターフェース装置１１Ｎと記載している。また、図２では、３階からＮ−１階のインターフェース装置１１について、記載を省略している。
【００４０】
図３は、インターフェース装置１１の要部構成の一例を示すブロック図である。インターフェース装置１１は、カード読み取り部１１１、タッチパネル１１２（選択入力部）、通信部１１３（発信部）および制御部１１４を備える。
【００４１】
カード読み取り部１１１は、接触したＩＤカードＣ１から個人識別情報を読み取り、制御部１１４へ出力する。
【００４２】
タッチパネル１１２は、利用者（従業員）の操作入力を受け付け、当該操作信号を示す操作信号を制御部１１４へ出力する。また、タッチパネル１１２は、制御部１１４により制御され、各種画像を表示する。なお、インターフェース装置１１は、タッチパネル１１２に代えて、互いに別体の表示部および操作部を備える構成であってもよい。
【００４３】
通信部１１３は、制御部１１４により制御され、エレベータ行先階登録システム１に含まれる各システムと通信を行う。例えば、通信部１１３は、個人照会情報（照会情報）または階床照会情報をセキュリティシステム１２へ送信（発信）する。個人照会情報とは、利用者が訪問相手の所在階床を照会することを示す情報であり、換言すれば、インターフェース装置１１の初期画面において、選択肢画像Ａ２が選択されたことを示す情報である。階床照会情報とは、利用者が行先階として登録可能な階床を照会することを示す情報であり、換言すれば、インターフェース装置１１の初期画面において、選択肢画像Ａ１が選択されたことを示す情報である。個人照会情報および階床照会情報は、個人識別情報およびインターフェース装置１１の識別情報を含む。
【００４４】
また、通信部１１３は、個人識別情報、行先階登録のための行先階を示す行先階情報、および、インターフェース装置１１の識別情報を含む乗場行先階登録情報をエレベータ制御システム１４へ送信する。
【００４５】
制御部１１４は、インターフェース装置１１の各部を統括して制御する。制御部１１４は、カード読み取り部１１１、タッチパネル１１２およびまたは通信部１１３から取得した情報に基づき、各種処理を行う。当該処理は例えば、タッチパネル１１２への画像の表示処理や、通信部１１３を介した情報の送信処理などである。
【００４６】
（セキュリティシステム１２）
再び図２を参照して、セキュリティシステム１２について説明する。セキュリティシステム１２は、建物内のセキュリティを管理するシステムである。セキュリティシステム１２は、照会受付部１２１および記憶部１２２を含む。照会受付部１２１および記憶部１２２は、セキュリティシステム１２として機能する装置における機能ブロックであってもよいし、それぞれが１つの装置であってもよい。
【００４７】
照会受付部１２１は、インターフェース装置１１から送信された、利用者が訪問相手の所在階床の照会を行うための個人照会情報を受け付ける。照会受付部１２１は、個人照会情報を受信すると、記憶部１２２に記憶されている照会データベースを参照し、受信した個人識別情報に対応付けられた、訪問相手の候補を示す情報を特定する。そして、照会受付部１２１は、特定した情報を所在管理システム１３へ出力する。なお、以降、上記特定した情報を照会対象情報と表記する。
【００４８】
図４は、照会データベースの一具体例を示す図である。図４に示す照会データベースは、従業員の個人識別情報に、当該従業員の訪問相手を示す個人識別情報である照会対象情報と、当該従業員が訪れることができる階床を示す情報とを対応付けた情報を含む。「カード所有者」のカラムには、各従業員の個人識別情報が格納される。
【００４９】
「照会可能者」のカラムには、照会対象情報、すなわち、「カード所有者」のカラムに格納された各個人識別情報が示す従業員の、訪問相手となり得る従業員の個人識別情報が格納される。照会対象情報が示す従業員の典型例は、「カード所有者」のカラムに格納された各個人識別情報が示す従業員の直属の上司、部下などであるが、これに限定されない。
【００５０】
「利用可能階」のカラムには、各個人識別情報が示す従業員が訪れてもよい階床を示す利用可能階情報が格納される。当該階床の典型例は、従業員が所属する企業のテナントを含む階床であるが、これに限定されない。
【００５１】
照会受付部１２１は、照会対象情報の送信に対する応答として、所在管理システム１３から受信した情報を、識別情報が示すインターフェース装置１１へ送信する。当該情報は、照会対象情報が示す従業員の所在を示す所在情報である。これにより、当該インターフェース装置１１は、図１に示す選択肢画像Ａ４およびＡ５を表示することができる。
【００５２】
また、照会受付部１２１は、階床照会情報を受信すると、記憶部１２２に記憶されている照会データベースを参照し、受信した個人識別情報に対応付けられた利用可能階情報を特定し、当該利用可能階情報を、識別情報が示すインターフェース装置１１へ送信する。これにより、当該インターフェース装置１１は、利用可能階情報が示す階床を選択肢として含む、行先階の候補画像Ａ７を表示することができる。
【００５３】
（所在管理システム１３）
所在管理システム１３は、建物内にいる各従業員（移動体）の所在を管理する。所在管理システム１３は、第１特定部１３１、記憶部１３２、更新部１３３、ビーコン位置判別部１３４（位置判別部）および入室位置判別部１３５（位置判別部）を含む。これらの部材は、所在管理システム１３として機能する装置における機能ブロックであってもよいし、それぞれが１つの装置であってもよい。
【００５４】
第１特定部１３１は、セキュリティシステム１２から受信した個人照会情報に応じて、照会対象情報が示す訪問相手の候補の照会を実行し、当該候補の所在階床を特定する。本実施形態に係る第１特定部１３１はさらに、当該候補の所在空間を特定してもよい。第１特定部１３１は、記憶部１３２に記憶されている所在情報データベースを参照し、照会対象情報が示す訪問相手の候補の所在階床および所在空間を特定する。
【００５５】
図５は、所在情報データベースの一具体例を示す図である。所在情報データベースは、建物内にいる従業員の所在を示す所在情報を格納するデータベースであり、従業員を識別する個人識別情報に、所在情報が対応付けられている。
【００５６】
図５の例において、所在情報は、エレベータ情報、受信情報および入室情報である。エレベータ情報は、従業員がエレベータを利用して移動した、直近の行先階を示す情報である。受信情報は、従業員のスマートフォン１０から受信したビーコン識別情報に基づき判別された、従業員の位置情報である。入室情報は、入室管理装置から受信した装置識別情報に基づき判別された、従業員の位置情報である。なお、これらの情報は、更新された年月日及び時刻を示す更新時刻情報を含む。
【００５７】
個人識別情報が「ＢＢＢ」であるレコードは、エレベータ情報、受信情報および入室情報をすべて含む。これはつまり、「ＢＢＢ」で示される従業員について、以下の（１）〜（３）の事象が発生したことを示す。（１）当該従業員がエレベータで２階に移動したことにより、当該レコードにエレベータ情報が格納された。（２）当該従業員が自身のＩＤカードＣ１を入室管理装置に接触させて会議室Ａに入室したことにより、当該レコードに入室情報が格納された。（３）当該従業員のスマートフォン１０が会議室Ａに設けられたビーコンから発信された無線信号を受信したことにより、当該レコードに受信情報が格納された。
【００５８】
個人識別情報が「ＣＣＣ」であるレコードは、入室情報を含まない。これは、エレベータ乗り場には入室管理装置が設けられていないためである。
【００５９】
個人識別情報が「ＤＤＤ」であるレコードは、エレベータ情報を含まない。これは、「ＤＤＤ」で示される従業員が、まだエレベータを利用していないためである。詳細については後述するが、所在情報データベースにおいて、所在情報は、更新時刻情報から第１の所定時間（予め定めた期間）が経過した場合削除される。つまり、当該従業員は、最後にエレベータを利用してから第１の所定時間が経過するまでエレベータを利用していないと推測される。受信情報および入室情報から、当該従業員は１階のエントランスにいると推測されるので、当該従業員は建物の外から建物に入り、エントランスに移動したものと推測される。
【００６０】
個人識別情報が「ＸＸＸ」であるレコードは、エレベータ情報、受信情報および入室情報をすべて含まない。つまり、当該レコードにおいて、所在情報は、いずれも第１の所定時間更新が行われていない。このため「ＸＸＸ」で示される従業員は、建物内にいないと推測される。
【００６１】
個人識別情報が「ＹＹＹ」であるレコードは、入室情報を含まない。なお、１１階の会議室Ｅは、入室管理装置が設けられているものとする。このため、「ＹＹＹ」で示される従業員は、ＩＤカードＣ１を当該入室管理装置に接触させた他の従業員とともに、会議室Ｅに入室したと推測される。
【００６２】
第１特定部１３１は、照会対象者情報と一致する個人識別情報を含むレコードを特定し、当該レコードをセキュリティシステム１２へ送信する。
【００６３】
ビーコン位置判別部１３４は、複数のビーコンのいずれかの近傍に従業員が位置しているとみなし得る情報を受け付けることにより、当該従業員の位置を判別する。具体的には、ビーコン位置判別部１３４は、受信した所在更新情報に基づき、従業員の位置を判別する。例えば、ビーコン位置判別部１３４は、ビーコン識別情報とビーコンを設置した所定空間を示すビーコン位置情報とを対応付けたデータベースを参照し、受信したビーコン識別情報が示すビーコンが設置された所定空間を特定する。なお、ビーコン位置情報は、所定空間が位置する階床を示す情報を含むものとする。特定されたビーコン位置情報は、換言すれば、受信した個人識別情報が示す従業員がいる所定空間を示す情報である。ビーコン位置判別部１３４は、受信した個人識別情報と、特定したビーコン位置情報とを更新部１３３へ出力する。
【００６４】
ビーコン位置判別部１３４は、従業員の位置の判別処理を第２の所定時間が経過するごとに実行する。そして、ビーコン位置判別部１３４は、判別処理を実行するたびに、受信した個人識別情報と、特定したビーコン位置情報を更新部１３３へ出力する。
【００６５】
入室位置判別部１３５は、複数の入室管理装置のいずれかの近傍に従業員が位置しているとみなし得る情報を受け付けることにより、当該従業員の位置を判別する。具体的には、入室位置判別部１３５は、受信した所在更新情報に基づき、従業員の位置を判別する。例えば、入室位置判別部１３５は、装置識別情報と入室管理装置を設置した所定空間を示す装置位置情報とを対応付けたデータベースを参照し、受信した装置識別情報が示す入室管理装置が設置された所定空間を特定する。なお、装置位置情報は、所定空間が位置する階床を示す情報を含むものとする。特定された装置位置情報は、換言すれば、受信した個人識別情報が示す従業員がいる所定空間を示す情報である。入室位置判別部１３５は、受信した個人識別情報と、特定した装置位置情報とを更新部１３３へ出力する。
【００６６】
入室位置判別部１３５は、従業員の位置の判別処理を第２の所定時間が経過するごとに実行する。そして、入室位置判別部１３５は、判別処理を実行するたびに、受信した個人識別情報と、特定した装置位置情報を更新部１３３へ出力する。
【００６７】
更新部１３３は、エレベータの行先階登録、並びに、ビーコン識別情報および装置識別情報から判別される従業員の位置に基づき、所在情報を更新する。具体的には、更新部１３３は、エレベータ制御システム１４から、個人識別情報および行先階の情報を受信すると、当該個人識別情報が含まれるレコードのエレベータ情報を当該行先階の情報に基づき更新し、さらに、更新時刻情報を更新する。
【００６８】
また、更新部１３３は、ビーコン位置判別部１３４から個人識別情報およびビーコン位置情報を取得すると、当該個人識別情報が含まれるレコードの受信情報をビーコン位置情報に基づき更新し、さらに、更新時刻情報を更新する。なお、更新部１３３は、受信したビーコン位置情報と、更新対象の受信情報とが同一である場合、更新時刻情報のみを更新してもよい。
【００６９】
また、更新部１３３は、入室位置判別部１３５から個人識別情報および装置位置情報を取得すると、当該個人識別情報が含まれるレコードの入室情報を装置位置情報に基づき更新し、さらに、更新時刻情報を更新する。なお、更新部１３３は、受信した装置位置情報と、更新対象の入室情報とが同一である場合、更新時刻情報のみを更新してもよい。
【００７０】
また、更新部１３３は、従業員の位置の判別ができない状態が予め定めた期間継続した場合、当該従業員の所在階床および所在空間が不詳となるように、当該従業員の所在情報を更新する。一例として、更新部１３３は、更新時刻情報から第１の所定時間が経過した所在情報を削除する。
【００７１】
（エレベータ制御システム１４）
エレベータ制御システム１４は、エレベータ１４１Ａ〜１４１Ｃを制御する。エレベータ１４１Ａ〜１４１Ｃは、それぞれ、かご１４２Ａ〜１４２Ｃを備える。なお、以降、エレベータ１４１Ａ〜１４１Ｃおよびかご１４２Ａ〜１４２Ｃを区別しない場合、「エレベータ１４１」および「かご１４２」と表記する。また、エレベータ行先階登録システム１に含まれるエレベータ１４１の数はこの例に限定されない。
【００７２】
本実施形態では、エレベータ制御システム１４は、上述したとおり複数のエレベータを制御する。このため、エレベータ制御システム１４は、エレベータの群管理システムと表現することもできる。
【００７３】
エレベータ制御システム１４は、第２特定部１４３および登録部１４４を含む。これらの部材は、エレベータ制御システム１４として機能する装置における機能ブロックであってもよいし、それぞれが１つの装置であってもよい。
【００７４】
第２特定部１４３は、エレベータの利用者の所在階床を特定する。第２特定部１４３は、インターフェース装置１１から受信した、インターフェース装置１１の識別情報に基づき、当該所在階床を特定する。例えば、第２特定部１４３は、インターフェース装置１１の識別情報と、階床を示す階床情報とが対応付けられたデータベースを参照し、受信した識別情報に対応付けられた階床情報を特定する。特定した階床情報はすなわち、受信した識別情報が示すインターフェース装置１１が設置された階床を示す情報である。第２特定部１４３は、特定した階床情報と、受信した行先階情報および個人識別情報とを登録部１４４へ出力する。
【００７５】
登録部１４４は、乗場呼びの登録と、行先階登録とを行う。登録部１４４は、乗場呼び登録として以下の処理を行う。すなわち、登録部１４４は、取得した階床情報が示す階床へかご１４２を移動させるエレベータ１４１を決定し、当該エレベータ１４１の制御盤（不図示）に、当該階床へかご１４２を移動させるよう指示する。なお、以降、当該エレベータ１４１を「割当号機」と表記する。また、登録部１４４は、行先階登録として以下の処理を行う。すなわち、登録部１４４は、割当号機の制御盤に、行先階情報が示す階床を行先階として登録する。これにより、割当号機のかご１４２は、階床情報が示す階床にて停止し、利用者が乗車した後、行先階情報が示す階床へ向かって移動する。また、登録部１４４は、割当号機を示す割当号機情報をインターフェース装置１１へ送信する。割当号機情報は、第２特定部１４３を介してインターフェース装置１１へ送信されてもよい。
【００７６】
また、登録部１４４は、割当号機のかご１４２が、行先階情報が示す階床に到着すると、取得した個人識別情報および行先階情報（以下、「所在更新情報」と表記する）を所在管理システム１３へ送信する。これにより、所在管理システム１３の更新部１３３は、当該所在更新情報に基づき、所在情報データベースにおける、受信した個人識別情報を含むレコードにおいて、エレベータ情報を更新することができる。
【００７７】
＜個人照会処理の流れ＞
図６は、エレベータ行先階登録システム１が実行する個人照会処理の流れの一例を説明するシーケンス図である。
【００７８】
インターフェース装置１１のタッチパネル１１２は、個人検索の選択、すなわち、選択肢画像Ａ２の選択を行うタッチ操作を受け付ける（ステップＳ１、以下、「ステップ」の記載を省略）と、当該タッチ操作の操作信号を制御部１１４へ出力する。制御部１１４は、当該操作信号を取得すると、案内画像Ａ３をタッチパネル１１２に表示させ、ＩＤカードＣ１の接触を待機する。カード読み取り部１１１は、ＩＤカードＣ１のタッチ、すなわち、ＩＤカードＣ１の接触を検出する（Ｓ２）と、ＩＤカードＣ１から受信した個人識別情報を制御部１１４へ出力する。制御部１１４は、取得した個人識別情報を含む個人照会情報をセキュリティシステム１２へ送信する（図６のｄ１、以下、「図６の」を省略する）。
【００７９】
セキュリティシステム１２の照会受付部１２１は、個人照会情報を受信すると、ＩＤカードＣ１の使用者に対応付けられた照会対象を特定する（Ｓ１１）。具体的には、照会受付部１２１は、記憶部１２２に記憶されている照会データベースを参照し、当該個人照会情報に含まれる個人識別情報を含むレコードを特定する。そして、照会受付部１２１は、特定したレコードに含まれる照会対象情報を特定し、所在管理システム１３へ送信する（ｄ１１）。
【００８０】
所在管理システム１３の第１特定部１３１は、照会対象情報を受信すると、照会対象情報が示す照会対象の所在を特定する（Ｓ２１）。具体的には、第１特定部１３１は、記憶部１３２に記憶されている所在情報データベースを参照し、受信した照会対象情報と一致する個人識別情報を含むレコードを特定し、所在情報を含む当該レコードをセキュリティシステム１２へ送信する（ｄ２１）。
【００８１】
照会受付部１２１は、受信したレコード、すなわち照会対象情報および所在情報をインターフェース装置１１へ送信する（ｄ１２）。
【００８２】
制御部１１４は、照会対象情報および所在情報を含む選択肢画像をタッチパネル１１２に表示させる（Ｓ３）。当該選択肢画像は例えば、図１に示す選択肢画像Ａ４およびＡ５である。制御部１１４は、一例として、受信したレコードに、エレベータ情報、受信情報および入室情報のうち、更新時刻情報が示す時刻が最新の情報を、選択肢画像に含める所在情報とする。続いて、タッチパネル１１２は、いずれかの選択肢画像の選択を行うタッチ操作を受け付ける（Ｓ４）と、当該タッチ操作の操作信号を制御部１１４へ出力する。制御部１１４は、当該操作信号を取得すると、選択された選択肢画像に対応する所在情報に基づき、乗場行先階登録情報を生成し、通信部１１３を介してエレベータ制御システム１４へ送信する（ｄ２）。当該乗場行先階登録情報は、インターフェース装置１１の識別情報と、所在情報に含まれる所在階床とを含む。後者はすなわち、上述した行先階情報である。
【００８３】
エレベータ制御システム１４の第２特定部１４３は、受信したインターフェース装置１１の識別情報に基づき、乗場行先階登録情報の送信元であるインターフェース装置１１が設置された階床を特定する。そして、第２特定部１４３は、受信した行先階情報と、当該階床を示す階床情報を登録部１４４へ出力する。
【００８４】
登録部１４４は、取得した情報に基づき、出発階および行先階の登録を行う（Ｓ３１）。具体的には、登録部１４４は、割当号機の制御盤に、階床情報が示す階床へかご１４２を移動させるよう指示する。また、登録部１４４は、割当号機の制御盤に、行先階情報が示す階床を行先階として登録する。そして、登録部１４４は、割当号機情報をインターフェース装置１１へ送信する（ｄ３１）。
【００８５】
制御部１１４は、通信部１１３を介して受信した割当号機情報に基づき、登録結果画像Ａ６を表示する（Ｓ５）。これにより、選択肢画像Ａ２の選択を行った利用者は、自身が乗るべきエレベータ１４１（割当号機）を認識することができる。そして、当該利用者は、割当号機のかご１４２に乗り、訪問相手がいる階床へ移動することができる。以上で、個人照会処理は終了する。
【００８６】
＜所在更新処理の流れ＞
図７は、エレベータ行先階登録システム１が実行する所在更新処理の流れの一例を示すシーケンス図である。
【００８７】
インターフェース装置１１のタッチパネル１１２は、行先階登録の選択、すなわち、選択肢画像Ａ１の選択を行うタッチ操作を受け付ける（Ｓ４１）と、当該タッチ操作の操作信号を制御部１１４へ出力する。制御部１１４は、当該操作信号を取得すると、案内画像Ａ３をタッチパネル１１２に表示させ、ＩＤカードＣ１の接触を待機する。カード読み取り部１１１は、ＩＤカードＣ１のタッチ、すなわち、ＩＤカードＣ１の接触を検出する（Ｓ４２）と、ＩＤカードＣ１から受信した個人識別情報を制御部１１４へ出力する。制御部１１４は、取得した個人識別情報を含む階床照会情報を、通信部１１３を介してセキュリティシステム１２へ送信する（ｄ４１）。
【００８８】
セキュリティシステム１２の照会受付部１２１は、階床照会情報を受信すると、ＩＤカードＣ１の使用者に対応付けられた許可階を特定する（Ｓ９１）。具体的には、照会受付部１２１は、記憶部１２２に記憶されている照会データベースを参照し、当該階床照会情報に含まれる個人識別情報を含むレコードを特定する。そして、照会受付部１２１は、特定したレコードに含まれる利用可能階情報を特定し、識別情報が示すインターフェース装置１１へ送信する（ｄ９１）。
【００８９】
制御部１１４は、通信部１１３を介して、利用可能階情報を受信すると、当該利用可能階情報に基づき、行先階の候補画像Ａ７をタッチパネル１１２に表示させ（Ｓ４３）、利用者のタッチ操作を待機する。
【００９０】
タッチパネル１１２は、階床の選択、すなわち、行先階の候補画像Ａ７のうち、いずれかを選択するタッチ操作を受け付ける（Ｓ４４）と、当該タッチ操作の操作信号を制御部１１４へ出力する。制御部１１４は、当該操作信号を取得すると、選択された階床を示す情報に基づき、乗場行先階登録情報を生成し、通信部１１３を介してエレベータ制御システム１４へ送信する（ｄ４１）。当該乗場行先階登録情報は、インターフェース装置１１の識別情報と、選択された階床を示す情報とを含む。後者はすなわち、上述した行先階情報である。
【００９１】
エレベータ制御システム１４の第２特定部１４３は、受信したインターフェース装置１１の識別情報に基づき、乗場行先階登録情報の送信元であるインターフェース装置１１が設置された階床を特定する。そして、第２特定部１４３は、受信した行先階情報と、当該階床を示す階床情報を登録部１４４へ出力する。
【００９２】
登録部１４４は、取得した情報に基づき、出発階および行先階の登録を行う（Ｓ５１）。具体的には、登録部１４４は、割当号機の制御盤に、階床情報が示す階床へかご１４２を移動させるよう指示する。また、登録部１４４は、割当号機の制御盤に、行先階情報が示す階床を行先階として登録する。
【００９３】
選択肢画像Ａ１の選択を行った利用者が割当号機のかご１４２に乗ると、当該かご１４２は、選択した階床（行先階）へ移動する。登録部１４４は、割当号機のかご１４２が、行先階に到着するまで待機する。割当号機の制御盤が、かご１４２が行先階に到着したことを検出し（Ｓ５２）、その旨を登録部１４４へ通知すると、登録部１４４は、所在更新情報、すなわち、個人識別情報および行先階情報を所在管理システム１３へ送信する（ｄ５１）。
【００９４】
所在管理システム１３の更新部１３３は、エレベータ制御システム１４から所在更新情報を受信すると、所在情報データベースにおけるエレベータ情報を更新する（Ｓ６１）。具体的には、更新部１３３は、受信した個人識別情報を含むレコードにおけるエレベータ情報を、受信した行先階情報に更新するとともに、更新時刻情報を現在の年月日および時刻に更新する。
【００９５】
また、建物内にいる従業員のスマートフォン１０は、ビーコンの無線信号の受信を待機する状態となっている（Ｓ７１）。当該無線信号を受信した場合（Ｓ７１でＹＥＳ）、スマートフォン１０は、特定のアプリケーションを起動し、個人識別情報とビーコン識別情報とを含む所在更新情報を所在管理システム１３へ送信する（ｄ７１）。なお、特定のアプリケーションは、例えば、所在管理システム１３に関連付けられたアプリケーションである。従業員は、当該アプリケーションの初回起動時に、個人識別情報を登録する。これにより、スマートフォン１０は、アプリケーションの起動時に、登録によりスマートフォン１０に記憶された個人識別情報を読み出し、受信したビーコン識別情報とともに所在管理システム１３へ送信することができる。
【００９６】
所在管理システム１３のビーコン位置判別部１３４は、所在更新情報を受信すると、ビーコン識別情報に対応付けられているビーコン位置情報を特定し、個人識別情報とともに更新部１３３へ出力する。
【００９７】
更新部１３３は、取得した個人識別情報およびビーコン位置情報に基づき、所在情報データベースにおける受信情報を更新する（Ｓ６２）。具体的には、更新部１３３は、受信した個人識別情報を含むレコードにおける受信情報を、受信したビーコン位置情報に更新するとともに、更新時刻情報を現在の年月日および時刻に更新する。
【００９８】
また、建物内に設けられた各入室管理装置は、ＩＤカードＣ１のタッチ、すなわち、ＩＤカードＣ１の接触を待機している（Ｓ８１）。入室管理装置は、ＩＤカードＣ１の接触を検出する（Ｓ８１でＹＥＳ）と、個人識別情報と装置識別情報とを含む所在更新情報を所在管理システム１３へ送信する（ｄ８１）。
【００９９】
所在管理システム１３の入室位置判別部１３５は、所在更新情報を受信すると、装置識別情報に対応付けられている装置位置情報を特定し、個人識別情報とともに更新部１３３へ出力する。
【０１００】
更新部１３３は、取得した個人識別情報および装置位置情報に基づき、所在情報データベースにおける入室情報を更新する（Ｓ６３）。具体的には、更新部１３３は、受信した個人識別情報を含むレコードにおける入室情報を、受信した装置位置情報に更新するとともに、更新時刻情報を現在の年月日および時刻に更新する。
【０１０１】
更新部１３３は、各レコードの所在情報について、直近の更新から第１の所定時間が経過したか否かを常時判定している（Ｓ６４）。直近の更新とはすなわち、各所在情報とともに格納されている更新時刻情報が示す時点を指す。或る所在情報について、直近の更新から第１の所定時間が経過した場合（Ｓ６４でＹＥＳ）、更新部１３３は、当該所在情報を削除する（Ｓ６５）。
【０１０２】
なお、図７の例では、Ｓ４１において、利用者が選択肢画像Ａ１を選択した例を説明したが、利用者は選択肢画像Ａ２を選択してもよい。
【０１０３】
＜インターフェース装置１１の画面表示のバリエーション＞
図８は、インターフェース装置１１における画面例を示す図である。図８の例において、利用者は図１と同様に個人識別情報「ＡＡＡ」で識別される従業員であるものとする。すなわち、当該利用者の訪問相手の候補は、個人識別情報「ＢＢＢ」で識別される従業員と、個人識別情報「ＣＣＣ」で識別される従業員である。
【０１０４】
画面例２０１は、「ＣＣＣ」で識別される従業員が、建物内にいない場合の画面例である。この例において、制御部１１４は、「ＣＣＣ」で識別される従業員に対応する選択肢画像Ａ５（図１参照）をタッチパネル１１２に表示させない。一例として、第１特定部１３１は、所在情報データベースにおいて、「ＣＣＣ」を含むレコードにはいずれの所在情報も格納されていないため、第１特定部１３１は、当該レコードをセキュリティシステム１２へ送信しない。これにより、当該レコードはインターフェース装置１１に送信されないので、制御部１１４は、選択肢画像Ａ５をタッチパネル１１２に表示させない。
【０１０５】
なお、第１特定部１３１は、「ＣＣＣ」のみを含み、所在情報を含まないレコードをセキュリティシステム１２へ送信してもよい。制御部１１４は、セキュリティシステム１２から当該レコードを受信し、所在情報が含まれていないことを確認した場合、選択肢画像Ａ５をタッチパネル１１２に表示させない。
【０１０６】
画面例２０２は、画面例２０１と同様に、「ＣＣＣ」で識別される従業員が、建物内にいない場合の画面例である。この例において、制御部１１４は、「ＣＣＣ」で識別される従業員に対応する選択肢画像を、建物内にいる、「ＢＢＢ」で識別される従業員に対応する選択肢画像Ａ４と異なる態様でタッチパネル１１２に表示させる。一例として、制御部１１４は、グレーアウトさせた選択肢画像Ａ１１をタッチパネル１１２に表示させる。また、制御部１１４は、選択肢画像Ａ１１へのタッチ操作を受け付けない。なお、「タッチ操作を受け付けない」とは、タッチパネル１１２が操作信号を制御部１１４へ出力しない構成でもよいし、制御部１１４が、受信した操作信号に基づく処理を実行しない構成でもよい。
【０１０７】
画面例２０３は、いずれの訪問相手の候補も、建物内にいない場合の画面例である。この場合、制御部１１４は、いずれの訪問相手の候補も建物内にいない旨の通知、または、所在情報が含まれていないレコードを受信する。制御部１１４は、この場合、訪問相手の候補についても所在を確認できない旨の案内画像Ａ１２をタッチパネル１１２に表示させる。
【０１０８】
なお、制御部１１４は、セキュリティシステム１２から取得した所在情報において、エレベータ情報が示す所在階床と、受信情報および入室情報が示す所在階床とが異なっている場合、更新時刻情報に依らず、受信情報または入室情報が示す所在階床を、選択肢画像に含める所在階床としてもよい。これは、訪問相手の候補が、エレベータを利用せず（例えば、階段などを利用して）階床間を移動した場合を想定したものである。
【０１０９】
＜効果＞
以上のとおり、本実施形態に係るエレベータ行先階登録システム１は、或る従業員（利用者）が、訪問相手の従業員の所在階床の照会を行うための個人照会情報を受け付ける照会受付部１２１を備える。また、エレベータ行先階登録システム１は、個人照会情報に応じて紹介を実行し、訪問相手の従業員の所在階床を特定する第１特定部１３１を備える。また、エレベータ行先階登録システム１は、第１特定部１３１による特定結果に基づき、エレベータ１４１の行先階登録を行う登録部１４４を備える。
【０１１０】
これにより、訪問相手の従業員の所在階床の照会に付随して、エレベータ１４１の行先階登録も行うことができるので、所在を確認してエレベータの行先階登録を行うような状況において、利用者の利便性を向上することができる。
【０１１１】
また、エレベータ行先階登録システム１は、利用者の所在階床を特定する第２特定部を備える。登録部１４４は、第２特定部１４３による特定結果に基づき、エレベータ１４１の乗場呼び登録を行う。
【０１１２】
これにより、利用者は、訪問相手の従業員の所在階床の照会に付随して、エレベータ１４１の乗場呼び登録も行うことができるので、所在を確認してエレベータの行先階登録を行うような状況において、利用者の利便性をさらに向上することができる。
【０１１３】
また、エレベータ行先階登録システム１は、利用者による操作に応じて個人照会情報を照会受付部１２１へ発信する通信部１１３を有するインターフェース装置１１を含む。これにより、利用者はインターフェース装置１１への操作の入力で、訪問相手の従業員の所在階床の照会を行うことができ、さらに、エレベータ１４１の行先階登録も行うことができるので、利用者の利便性をさらに向上させることができる。特に、インターフェース装置１１がエレベータ乗場に設けられていれば、操作入力から割当号機のかご１４２への搭乗をスムーズに行うことができる。
【０１１４】
また、インターフェース装置１１は、利用者に対して訪問相手の１または複数の候補を提示し、選択させるタッチパネル１１２をさらに備える。これにより、利用者は、自身が望む訪問相手を正しく選択したうえで、当該訪問相手の所在階床への行先階登録を行うことができる。
【０１１５】
また、タッチパネル１１２は、訪問相手の候補とともに、各候補の所在階床を提示する。これにより、利用者は、自身が望む訪問相手の所在階床を、割当号機のかご１４２に乗る前に認識することができる。
【０１１６】
また、インターフェース装置１１は、ＩＤカードＣ１から個人識別情報を読み取るカード読み取り部１１１をさらに有している。タッチパネル１１２は、読み取られた個人識別情報に対応して予め登録された訪問相手の候補を提示する。これにより、利用者が訪問相手を指定するための操作入力（例えば、訪問相手の名前の入力）などを行う必要がないので、訪問相手の所在確認およびエレベータの行先階登録をスムーズに行うことができる。
【０１１７】
また、インターフェース装置１１は、訪問相手の候補が存在しない場合には、その旨を利用者に対して提示する。これにより、利用者は、訪問相手が建物内にいない（あるいは、建物内にいるかもしれないが所在が不明である）ことを、エレベータに乗る前に認識することができる。
【０１１８】
また、エレベータ行先階登録システム１は、従業員の所在階床を記憶する記憶部１３２を備える。また、エレベータ行先階登録システム１は、従業員が建物の階床間を移動するためにエレベータ１４１の行先階登録を行う登録部１４４を備える。また、エレベータ行先階登録システム１は、当該行先階登録に基づき記憶部１３２に記憶された従業員の所在階床を更新する更新部１３３を備える。
【０１１９】
この構成では、従業員が階床間を移動するために行うエレベータの行先階登録に基づくことにより、その行先階に従業員が居るものとみなして従業員の所在を管理することができる。なお、上記構成のみでは、行先階におけるより具体的な所在地まで特定することは困難であるが、行先階さえ管理できれば十分である場合も多い。また、上記構成と、ビーコン位置判別部１３４や入室位置判別部１３５とを組み合わせることにより、それぞれでは管理しきれない部分を補完することもできる。
【０１２０】
また、更新部１３３は、行先階登録に応じて運行された割当号機のかご１４２が行先階登録に対応した行先階に到着してから更新を行う。これにより、従業員の所在階床を正確なものとすることができる。換言すれば、従業員がかご１４２に搭乗中であるにもかかわらず、所在階床を行先階と誤って管理してしまう可能性を低減することができる。
【０１２１】
また、エレベータ行先階登録システム１は、複数階床にそれぞれ設置された複数のビーコンおよび複数の入室管理装置のいずれかの近傍に従業員が位置しているとみなし得る所在更新情報を受け付けることにより、従業員の位置を判別するビーコン位置判別部１３４および入室位置判別部１３５を備える。また、更新部１３３は、ビーコン位置判別部１３４および入室位置判別部１３５の少なくともいずれかの判別結果に基づき、記憶部１３２に記憶された従業員の所在階床を更新する。
【０１２２】
これにより、従業員の所在階床をより正確に管理することができる。例えば、従業員がエレベータを利用せず（例えば、階段などを利用して）階床間を移動した場合であっても、従業員の所在階床を正確に特定することができる。
【０１２３】
また、ビーコン位置判別部１３４および入室位置判別部１３５は、従業員の位置の判別を繰り返し行う。また、更新部１３３は、ビーコン位置判別部１３４および入室位置判別部１３５により従業員の位置を判別できない状態が第１の所定時間継続した場合、記憶部１３２に記憶された従業員の所在階床を削除する。
【０１２４】
これにより、従業員が建物内に居ないにもかかわらず、いずれかの階床に居るものとして誤って管理される可能性を低減することができる。
【０１２５】
また、エレベータ行先階登録システム１は、利用者による操作に応じて行先階情報をエレベータ制御システム１４へ発信する通信部１１３を有するインターフェース装置１１をさらに備える。これにより、利用者がインターフェース装置１１を介して行先階登録を行うだけで、当該利用者の所在階床を管理することができる。
【０１２６】
また、インターフェース装置１１は、ＩＤカードＣ１から個人識別情報を読み取るカード読み取り部１１１をさらに有している。また、インターフェース装置１１は、読み取られた個人識別情報に対応して予め登録された１または複数の行先階候補を提示し、選択させるタッチパネル１１２をさらに有している。これにより、利用者が、自身に関係ない階床、例えば、他社のテナントを有する階床を行先階として登録してしまうことを防ぐことができる。
【０１２７】
〔変形例〕
本発明に係る、複数階床間の移動が可能な移動体は人間に限定されない。つまり、行先階登録によりエレベータ１４１に搭乗する移動体と、照会対象である移動体との少なくとも一方が、人間でなくてもよい。例えば、当該移動体はロボットであってもよい。
【０１２８】
上述した実施形態では、ビーコンは建物内の各所定空間に設けられていたが、ビーコンは従業員が所持する所持物（例えば、ＩＤカードＣ１）に設けられていてもよい。この例の場合、建物内の各所定空間には、ビーコンの無線信号を受信して、所在更新情報を所在管理システム１３へ送信する通信装置が設けられる。この例において、ビーコンは、個人識別情報を通信装置へ送信する。通信装置は、受信した個人識別情報と、通信装置を識別する通信装置識別情報とを所在更新情報として所在管理システム１３へ送信する。
【０１２９】
所在管理システム１３は、通信装置識別情報と対応付けられた、通信装置の設置位置を示す通信装置位置情報を特定し、受信した個人識別情報とともに、更新部１３３へ出力する。通信装置位置情報は、通信装置が設けられている階床および所定空間を示す情報である。これにより、更新部１３３は、所在情報データベースの受信情報を更新することができる。
【０１３０】
更新部１３３は、更新時刻情報が示す時刻から第１の所定時間が経過した場合、受信情報および入室情報のみを削除し、エレベータ情報は削除しない構成であってもよい。これは、従業員は建物内にいるが、エレベータ情報が長時間更新されないという状況が想定されるためである。当該状況は、例えば、従業員が長時間執務室にて仕事をしているなどの状況である。なお、この例において、更新部１３３は、従業員が建物外に出たことを示す所定の条件が成立したとき、エレベータ情報を削除する構成であることが好ましい。例えば、更新部１３３は、エントランスに設けられた、セキュリティゲートと一体となった入室管理装置から、エントランス側のカード読み取り部にＩＤカードＣ１が接触したことを示す情報を受信した場合、エレベータ情報を削除してもよい。
【０１３１】
エレベータ行先階登録システム１は、ビーコンおよび入室管理装置の少なくともいずれかを含まない構成であってもよい。この場合、所在情報はエレベータ情報のみを含むか、または、エレベータ情報と、受信情報または入室情報とを含む。
【０１３２】
インターフェース装置１１は、利用者のスマートフォン１０などの携帯端末であってもよい。この例の場合、ＩＤカードＣ１をカード読み取り部１１１に接触させる構成に代えて、スマートフォン１０で特定のアプリケーションを起動し、ユーザ認証を行う構成が採用されてもよい。また、インターフェース装置１１はかご１４２内に設置されていてもよい。
【０１３３】
〔ソフトウェアによる実現例〕
制御部１１４、照会受付部１２１、第１特定部１３１、更新部１３３、ビーコン位置判別部１３４、入室位置判別部１３５、第２特定部１４３および登録部１４４は、集積回路（ＩＣチップ）等に形成された論理回路（ハードウェア）によって実現してもよいし、ソフトウェアによって実現してもよい。
【０１３４】
後者の場合、インターフェース装置１１、セキュリティシステム１２、所在管理システム１３およびエレベータ制御システム１４は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１３５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１３６】
１  エレベータ行先階登録システム（所在管理システム）
１１  インターフェース装置
１１１  カード読み取り部（読取部）
１１２  タッチパネル（選択入力部）
１１３  通信部（発信部）
１２１  照会受付部
１３１  第１特定部
１３２  記憶部
１３３  更新部
１３４  ビーコン位置判別部（位置判別部）
１３５  入室位置判別部（位置判別部）
１４１、１４１Ａ〜１４１Ｃ  エレベータ
１４３  第２特定部
１４４  登録部
【要約】
【課題】エレベータを利用した所在管理システムを提供する。
【解決手段】エレベータ行先階登録システム（１）は、移動体の所在階床を記憶する記憶部（１３２）と、移動体が階床間を移動するためにエレベータ（１４１）の行先階登録を行う登録部（１４４）と、行先階登録に基づき記憶部（１３２）の記憶する移動体の所在階床を更新する更新部（１３３）と、を備える。
【選択図】図２【図１】
0006930624.tif 000002
【図２】
0006930624.tif 000003
【図３】
0006930624.tif 000004
【図４】
0006930624.tif 000005
【図５】
0006930624.tif 000006
【図６】
0006930624.tif 000007
【図７】
0006930624.tif 000008
【図８】
0006930624.tif 000009